(57)【特許請求の範囲】
【請求項１】
ＧＰＳモジュールから出力されるＧＰＳ基準信号、高精密基準信号モジュールから出力される高精密基準信号、及び前記ＧＰＳ基準信号が入力される分配器から出力される複数の分配基準信号の入力を受け、前記ＧＰＳ基準信号、前記高精密基準信号、及び前記複数の分配基準信号の信号品質値を測定する位相雑音検出部；
前記位相雑音検出部から伝達された前記ＧＰＳ基準信号の信号品質値または前記複数の分配基準信号の信号品質値に応じて前記ＧＰＳ基準信号または前記高精密基準信号を出力するか否かを制御するための制御信号を生成する制御部；
前記制御部から伝達された前記制御信号によって前記ＧＰＳ基準信号または前記高精密基準信号のいずれか一つを基地局用装備のための基準信号として出力するＲＦスイッチ部；
を含む、基地局用基準信号供給装置。
【請求項２】
前記位相雑音検出部は、
前記ＧＰＳ基準信号、前記高精密基準信号、及び前記複数の分配基準信号のいずれか一つの入力を受ける入力部；
前記入力部を通して入力された信号をデジタル信号に変換するＡ／Ｄコンバータ；及び
前記Ａ／Ｄコンバータから出力された前記デジタル信号の信号品質値を測定するＦＰＧＡ部；
を含む、請求項１に記載の基地局用基準信号供給装置。
【請求項３】
前記ＦＰＧＡ部は、
前記デジタル信号の周波数を予め定められた間隔でスイープ（ｓｗｅｅｐ）させる周波数スイープ部；
前記周波数スイープ部から出力されたデジタル信号を予め設定されたサンプリングレート（ｓａｍｐｌｉｎｇ  ｒａｔｅ）でデシメーションするデシメーション部；
前記デシメーション部から出力されたデジタル信号から特定の周波数帯域の信号をフィルタリングするフィルタリング部；及び
前記フィルタリング部を通してフィルタリングされた特定の周波数帯域信号の信号品質値を測定する測定部；
を含む、請求項２に記載の基地局用基準信号供給装置。
【請求項４】
前記周波数スイープ部は、
前記デジタル信号の周波数を予め定められた範囲の周波数に変換する直接デジタル周波数合成器；及び
前記直接デジタル周波数合成器から出力されたデジタル信号を基底帯域信号に変換するデジタルダウンコンバータ；
を含む、請求項３に記載の基地局用基準信号供給装置。
【請求項５】
前記デシメーション部は、
前記周波数スイープ部から出力されたデジタル信号のデータレート（ｄａｔａ  ｒａｔｅ）を予め設定されたサンプリングレートに変換するＣＩＣフィルタ；及び
前記ＣＩＣフィルタから出力されたデジタル信号のイメージ信号を除去するＦＩＲフィルタ；
を含む、請求項３に記載の基地局用基準信号供給装置。
【請求項６】
前記信号品質値は、
入力パワー値、位相雑音レベル値、周波数オフセット（ｏｆｆｓｅｔ）値を含む、請求項１に記載の基地局用基準信号供給装置。
【請求項７】
前記制御部は、
前記ＧＰＳ基準信号の信号品質値または前記複数の分配基準信号のうち予め定められた個数の分配基準信号の信号品質値が予め設定された基準条件を満たす場合、前記ＧＰＳ基準信号の出力を命令する制御信号を生成し、
前記ＧＰＳ基準信号の信号品質値または前記複数の分配基準信号のうち予め定められた個数の分配基準信号の信号品質値が予め設定された基準条件を満たさない場合、前記高精密基準信号の出力を命令する制御信号を生成する、請求項１に記載の基地局用基準信号供給装置。
【発明の詳細な説明】
【技術分野】
【０００１】
本発明は、基地局用基準信号を供給するための装置に関する。
【背景技術】
【０００２】
スマートフォンがデータサービスの活用量を爆発的に増加させる前まで、ほとんどの移動通信サービスは、音声中心のサービスがメインであった。しかし、スマートフォン加入者が急速に増加し、音声中心からデータサービス中心に移動通信サービスの概念が変わってきている。現在、移動通信サービスは、ＬＴＥを通した伝送率増加と、それに伴う品質競争は各社にとっての死活問題になっている状況であり、最小の投資費用で最大のサービス効果を奏するために全力を注いでいる。従って、既存の単純なデータ伝送網に対する装備の拡充とともに、効率的なデータサービスに対する指標を提供できる新たな機能を有する移動通信装備の必要性が大きくなるものと予想される。特に、ＬＴＥのような４Ｇサービスの場合、大容量のデータサービスの提供が目標であるため、伝送品質に対する重要性がより一層浮かび上がると見込まれる。良質のデータ伝送品質を提供するためには、サービス終端に位置して実質的なサービスを提供している基地局と中継器の信号品質が最も重要である。
【０００３】
ＬＴＥサービスの場合、投資に対比した効率性を高めるために、基地局装備より中継器を用いた網構成の活用を積極的に活用しており、基地局装備の場合、網サービスの核心的な装備であることから屋内に設け、基地局装備の不良を防止して監視するために、様々な付加装備（基地局ＲＦ監視装置、環境監視装置、電源監視装置等）を用いてリアルタイムで監視しているが、データ伝送率に大きな影響を及ぼす１０ＭＨｚ基準信号に対する付加装備は全くない状況である。
【０００４】
２Ｇ／３Ｇを含めて近年商用化されたＬＴＥサービス用通信装備において核心となる信号は、１０ＭＨｚの基準信号である。基地局内部のＧＰＳ装備から生成する基準信号は、ＲＦ分配器を利用して複数の信号に分配され、基地局内部の各装備に供給される。また、このような基準信号は、基地局内部の装備だけでなく、光ファイバー線（Ｆｉｂｅｒ  Ｏｐｔｉｃ  Ｌｉｎｅ）を通して基地局外部に設けられた移動通信用中継器にも供給される。近年、デジタル方式の光中継器が移動通信用中継器の大半を占めて、基準信号の品質が装備の性能に影響することが明らかになっており、このような基準信号の品質低下の最も大きな原因は、周波数オフセット（ｏｆｆｓｅｔ）と位相雑音の上昇にある。
【０００５】
基地局内部のＧＰＳモジュールから抽出された基準信号は、基地局内部及び外部のあらゆる装備に分配されて用いられている。ＧＰＳから直接抽出された基準信号の場合、良質の信号品質と十分な出力値を持っている。しかし、数段階の分配器（１２ｗａｙ、４ｗａｙ、２ｗａｙ等）を経て信号の出力値が減少し、その品質もまた顕著に低下する現象が発生する。また、基地局の運用時間の増加によっても基準信号の品質が低下する。
【発明の概要】
【発明が解決しようとする課題】
【０００６】
本発明は、基地局及び関連装備において用いられる１０ＭＨｚ基準信号の劣化状態をリアルタイムで測定することにより、伝送率の低下及び関連装備の性能低下を防止することのできる基地局用基準信号供給装置を提供することを目的とする。
【０００７】
また、本発明は、基地局及び関連装備において用いられる１０ＭＨｚ基準信号の品質が低下した場合、それを良質の基準信号に変えることによって、無線網の運用効率を高めることのできる基地局用基準信号供給装置を提供することを目的とする。
【０００８】
本発明の目的は、以上において言及した目的に制限されるものではなく、言及されていない本発明の他の目的及び長所は、下記の説明によって理解でき、本発明の実施例によってより明らかに理解できるだろう。また、本発明の目的及び長所は、特許請求の範囲に示した手段及びその組み合わせにより実現できることが容易に分かるだろう。
【課題を解決するための手段】
【０００９】
このような目的を達成するための本発明は、基地局用基準信号供給装置において、ＧＰＳモジュールから出力されるＧＰＳ基準信号、高精密基準信号モジュールから出力される高精密基準信号、及び前記ＧＰＳ基準信号が入力される分配器から出力される複数の分配基準信号の入力を受け、前記ＧＰＳ基準信号、前記高精密基準信号、及び前記複数の分配基準信号の信号品質値を測定する位相雑音検出部、前記位相雑音検出部から伝達された前記信号品質値に応じて前記ＧＰＳ基準信号または前記高精密基準信号を出力するか否かを制御するための制御信号を生成する制御部、前記制御部から伝達された前記制御信号によって前記ＧＰＳ基準信号または前記高精密基準信号のいずれか一つを基地局用装備のための基準信号として出力するＲＦスイッチ部を含むことを特徴とする。
【発明の効果】
【００１０】
前述したような本発明によると、基地局及び関連装備において用いられる１０ＭＨｚ基準信号の劣化状態をリアルタイムで測定することにより、伝送率の低下及び関連装備の性能低下を防止することのできる長所がある。
【００１１】
また、本発明は、基地局及び関連装備において用いられる１０ＭＨｚ基準信号の品質が低下した場合、それを良質の基準信号に変えることによって無線網の運用効率を高めることのできる長所がある。
【図面の簡単な説明】
【００１２】
【図１】１０ＭＨｚ基準信号に位相雑音が発生する前と、位相雑音が発生した後のスペクトルをそれぞれ示すグラフである。
【図２】１０ＭＨｚ基準信号をＣＷ（Ｃｏｎｔｉｎｕｏｕｓ  Ｗａｖｅ）信号で示したグラフである。
【図３】１０ＭＨｚ基準信号をＣＷ（Ｃｏｎｔｉｎｕｏｕｓ  Ｗａｖｅ）信号で示したグラフである。
【図４】本発明の一実施例に係る基準信号供給装置の構成図である。
【図５】本発明の一実施例に係るＲＦスイッチ部（４０４）の構成図である。
【図６】本発明の一実施例に係る第１位相雑音検出部（４０６）の構成図である。
【図７】本発明の一実施例に係るＦＰＧＡ部（６０６）の構成図である。
【図８】本発明の一実施例に係る周波数スイープ部（７０２）及びデシメーション部（７０４）の信号処理過程をより詳細に説明するための図である。
【発明を実施するための形態】
【００１３】
前述した目的、特徴及び長所は、添付の図面を参照して詳細に後述し、それによって、本発明の属する技術の分野における通常の知識を有する者が、本発明の技術的思想を容易に実施することができるだろう。本発明を説明するにあたって、本発明と関連した公知の技術についての具体的な説明が本発明の要旨を不要に濁す恐れがあると判断される場合は、詳細な説明を省略する。以下、添付の図面を参照して、本発明に係る好ましい実施例を詳細に説明する。図面において同一の参照符号は、同一または類似した構成要素を指すものと用いられる。
【００１４】
全ての装備は、経時によって劣化し、基準信号を復元または生成する装置もまた劣化する。このような基準信号に関連する装置やモジュールの劣化によって、この基準信号から必要なクロック（Ｃｌｏｃｋ）を作って用いる基地局内の通信装備の全てのシステムが影響を受けることとなる。基準信号の劣化に最も大きな影響を及ぼす要素の例としては、位相雑音（Ｐｈａｓｅ  Ｎｏｉｓｅ）と周波数オフセット（Ｆｒｅｑｕｅｎｃｙ  Ｏｆｆｓｅｔ）が挙げられる。即ち、装備の劣化による位相雑音が上昇し、周波数オフセットが特定の基準以上に発生する場合、データ伝送率が低下するが、それによって、移動通信装備が同一の出力で動作しても、出力に対比した雑音の影響が大きいため、移動通信装備で収容できる加入者の数が減るだけでなく、伝送速度も減少することとなり、結果として通話品質（Ｑｕａｌｉｔｙ  Ｏｆ  Ｓｅｒｖｉｃｅ、ＱｏＳ）が低下する。
【００１５】
ＬＴＥ網のような無線網で最終端装備の伝送品質を定める最も重要な要素は、基地局と中継器で用いられる１０ＭＨｚ基準信号である。一般に、１０ＭＨｚ基準信号は、初期にサービスを提供する時は良い品質を維持するが、運用時間が増えるほど信号品質が低下する。基準信号の品質が低下すると、基準信号に位相雑音が発生し、無線網での伝送品質が急激に悪化する。中継装備網を通したデータサービスの場合、位相雑音の上昇によって伝送率が低下すると、中継器が同一の出力で動作しても、出力に対比した雑音の影響が大きいため、一つの中継器当たりに提供できる加入者の数が減るだけでなく、伝送速度も減少してＱｏＳが悪化し、これを改善するためにさらなる中継器をさらに設けなければならないので、４Ｇのような大容量のデータサービスシステムの場合、２Ｇ／３Ｇよりさらに深刻な費用の無駄遣いが発生することとなる。
【００１６】
図１は、１０ＭＨｚ基準信号に位相雑音が発生する前（１０４）と、位相雑音が発生した後（１０２）のスペクトルをそれぞれ示すグラフである。図１に示されたグラフは、基準信号の位相雑音発生の有無を最も明確に把握できる１０Ｈｚ〜１ＭＨｚ帯域全体に対するスペクトルを示す。一方、図２及び図３は、それぞれ１０ＭＨｚ基準信号をＣＷ（Ｃｏｎｔｉｎｕｏｕｓ  Ｗａｖｅ）信号で示したグラフであって、図２は、位相雑音が発生する前のグラフであり、図３は、位相雑音が発生した後のグラフである。
【００１７】
このように、基準信号の位相雑音と周波数オフセットが劣化すると、ＥＶＭ（Ｅｒｒｏｒ  Ｖｅｃｔｏｒ  Ｍａｇｎｉｔｕｄｅ）値が増加することとなる。ＥＶＭは、エラーベクトル（Ｅｒｒｏｒ  Ｖｅｃｔｏｒ）のパワー値と、基準信号のＲＭＳ（Ｒｏｏｔ  Ｍｅａｎ  Ｓｑｕａｒｅ）パワー値との比を意味し、位相雑音が大きくなるという意味は、基準信号に対する周辺雑音の大きさが大きくなるという意味である。基準信号は、移動通信システムに入る様々なモジュールの動作に必要なクロックを生成するための最も基礎となる信号であるため、基準信号が雑音によりＳ／Ｎ比が悪くなって歪みやジッター（Ｊｉｔｔｅｒ）現象が発生すると、基準信号を利用して生成される他のクロック信号も影響を受けて信号の歪みが発生することとなる。このような信号の歪みの大きさは、ＥＶＭ値で示され、ＥＶＭ値が大きくなると、中継器を通したデータサービスの際、伝送容量（Ｔｈｒｏｕｇｈｐｕｔ）が減る現象が発生する。
【００１８】
本発明は、このような問題点を解決するためのものであって、大容量のデータサービスを提供するために、伝送品質の低下を定める要素の一つである１０ＭＨｚ基準信号の劣化状態を測定して伝送率の低下を事前に監視し、基準信号の劣化が発生した場合、既存の基準信号を良質の基準信号に変えることのできる基地局用基準信号供給装置を提供することを目的とする。
【００１９】
図４は、本発明の一実施例に係る基準信号供給装置の構成図である。
【００２０】
図４を参照すると、本発明の一実施例に係る基準信号供給装置（４０２）は、ＲＦスイッチ部（４０４）、第１位相雑音検出部（４０６）、第２位相雑音検出部（４０８）、第３位相雑音検出部（４１０）、制御部（４１２）、ディスプレイ部（４１４）を含む。
【００２１】
ＲＦスイッチ部（４０４）は、ＧＰＳモジュール（図示しない）から生成された１０ＭＨｚのＧＰＳ基準信号の入力を受ける。また、ＲＦスイッチ部（４０４）は、非常に精度が高くて安定した周波数を有する基準信号を生成する高精密基準信号生成装置（図示しない）から生成された１０ＭＨｚの高精密基準信号の入力を受ける。本発明の一実施例においては、ＯＣＸＯ（Ｏｖｅｎ  Ｃｏｎｔｒｏｌｌｅｄ  Ｃｒｙｓｔａｌ  Ｏｓｃｉｌｌａｔｏｒｓ）が高精密基準信号生成装置として用いられ得るが、ＯＣＸＯではなく、他の高精密基準信号生成装置もまた用いられ得る。ＲＦスイッチ部（４０４）は、制御部（４１２）から伝達される制御信号によって、入力されたＧＰＳ基準信号または高精密基準信号のいずれか一つを基地局用装備のための１０ＭＨｚ基準信号として出力する。
【００２２】
第１位相雑音検出部（４０６）は、ＲＦスイッチ部（４０４）から伝達されるＧＰＳ基準信号及び高精密信号の入力を受ける。一方、ＲＦスイッチ部（４０４）により基準信号供給装置（４０２）から出力される１０ＭＨｚ基準信号は、分配器を通して複数の分配基準信号に分けられ、それぞれの基地局用装備に供給されるが、第１位相雑音検出部（４０６）は、このように、１０ＭＨｚ基準信号が入力される分配器から出力される複数の分配基準信号（分配器出力＃１〜＃４）の入力を受ける。図４の実施例において、基準信号供給装置（４０２）から出力される１０ＭＨｚ基準信号は、計１２個の分配基準信号に分配され、分配基準信号（分配器出力＃５〜＃８）は、第２位相雑音検出部（４０８）に入力され、分配基準信号（分配器出力＃９〜＃１２）は、第３位相雑音検出部（４１０）に入力される。本発明の他の実施例において、分配基準信号の個数が減少すると、第２位相雑音検出部（４０８）や第３位相雑音検出部（４１０）は省略できる。
【００２３】
第１位相雑音検出部（４０６）は、このように入力されたＧＰＳ基準信号の信号品質値、入力された高精密基準信号の信号品質値、そして複数の分配基準信号それぞれの信号品質値を測定する。同様に、第２位相雑音検出部（４０８）及び第３位相雑音検出部（４１０）もまた入力された複数の分配基準信号それぞれの信号品質値を測定することができる。このように、第１位相雑音検出部（４０６）、第２位相雑音検出部（４０８）、及び第３位相雑音検出部（４１０）を通して測定されたそれぞれの信号品質値は、制御部（４１２）に伝達される。
【００２４】
制御部（４１２）は、第１位相雑音検出部（４０６）、第２位相雑音検出部（４０８）、及び第３位相雑音検出部（４１０）から伝達された各信号の信号品質値に応じて、ＲＦスイッチ部（４０４）のＧＰＳ基準信号を出力するか否か、または高精密基準信号を出力するか否かを制御するための制御信号を生成する。
【００２５】
本発明の一実施例において、制御部（４１２）は、特定信号の信号品質値が予め設定された基準条件を満たす場合、ＧＰＳ基準信号の出力を命令する制御信号を生成し、特定信号の信号品質値が予め設定された基準条件を満たさない場合、高精密基準信号の出力を命令する制御信号を生成することができる。
【００２６】
例えば、ＲＦスイッチ部（４０４）を通して入力されたＧＰＳ基準信号の信号品質値が予め設定された基準条件を満たさない場合、制御部（４１２）は、高精密基準信号の出力を命令する制御信号を生成することによって、ＲＦスイッチ部（４０４）が、ＧＰＳ基準信号の代わりに高精密基準信号を１０ＭＨｚ基準信号で出力するようにすることができる。逆に、ＲＦスイッチ部（４０４）に入力されたＧＰＳ基準信号の信号品質値が予め設定された基準条件を満たす場合、制御部（４１２）は、ＧＰＳ基準信号の出力を命令する制御信号を生成することによって、ＲＦスイッチ部（４０４）に入力されたＧＰＳ基準信号が引き続き１０ＭＨｚ基準信号で出力されるようにすることができる。
【００２７】
本発明の他の実施例において、制御部（４１２）は、複数の分配基準信号のうち予め定められた個数（例えば、１個または３個等）の分配基準信号の信号品質が予め設定された基準条件を満たさない場合、高精密基準信号の出力を命令する制御信号を生成し、それ以外の場合、ＧＰＳ基準信号の出力を命令する制御信号を生成することができる。
【００２８】
一方、制御部（４１２）は、第１位相雑音検出部（４０６）、第２位相雑音検出部（４０８）、及び第３位相雑音検出部（４１０）から伝達された各信号の信号品質値を、ディスプレイ部（４１４）を通して表示することもできる。ディスプレイ部（４１４）は、ＬＣＤパネルまたはＶＦＤパネル等からなり得、制御部（４１２）を通して伝達された信号品質値、基地局用基準信号供給装置（４０２）の現状及び制御現況等を表示することができる。
【００２９】
また、制御部（４１２）は、第１位相雑音検出部（４０６）、第２位相雑音検出部（４０８）、及び第３位相雑音検出部（４１０）から伝達された各信号の信号品質値を、遠隔上位網（４１６）を通して遠隔地にある別途の遠隔制御部（図示しない）に伝達することができる。このとき、制御部（４１２）は、遠隔制御部の命令によってＲＦスイッチ部（４０４）を制御するための制御信号を生成することができる。
【００３０】
また、制御部（４１２）は、ノートパソコンやスマートフォンのような端末機（４１８）と連結され得る。端末機（４１８）は、基地局用基準信号供給装置（４０２）の制御に必要なＧＵＩを通して、基地局用基準信号供給装置（４０２）及び基地局用基準信号供給装置（４０２）と連結される各種の装備を制御する機能を行うことができる。
【００３１】
図５は、本発明の一実施例に係るＲＦスイッチ部（４０４）の構成図である。
【００３２】
図５を参照すると、ＲＦスイッチ部（４０４）は、１：２スイッチ部（１：２  Ｓ／Ｗ、５０２、５０４、５０８）及びＣＰＵ（５０６）を含む。１：２スイッチ部（５０２）は、ＧＰＳモジュール（図示しない）から生成されたＧＰＳ基準信号の入力を受け、入力されたＧＰＳ基準信号を１：２スイッチ部（５０８）に伝達する。また、１：２スイッチ部（５０２）は、入力されたＧＰＳ基準信号を直接ＲＦスイッチ部（４０４）の外部に出力することができ、直接出力されたＧＰＳ基準信号は、第１位相雑音検出部（４０６）に伝達され得る。
【００３３】
１：２スイッチ部（５０４）は、高精密基準信号生成装置（図示しない）から生成された高精密基準信号の入力を受け、入力された高精密基準信号を１：２スイッチ部（５０８）に伝達する。また、１：２スイッチ部（５０４）は、入力された高精密基準信号を直接ＲＦスイッチ部（４０４）の外部に出力することができ、直接出力された高精密基準信号は、第１位相雑音検出部（４０６）に伝達され得る。
【００３４】
ＣＰＵ（５０６）は、制御部（４１２）から伝達される制御信号によって１：２スイッチ部（５０８）を制御し、１：２スイッチ部（５０８）が、ＧＰＳ基準信号または高精密基準信号のいずれか一つを基地局用１０ＭＨｚ基準信号で出力するようにする。
【００３５】
図６は、本発明の一実施例に係る第１位相雑音検出部（４０６）の構成図である。
【００３６】
図６を参照すると、本発明の一実施例に係る第１位相雑音検出部（４０６）は、１：６スイッチ部（１：６  Ｓ／Ｗ、６０２）、Ａ／Ｄコンバータ（６０４）、ＦＰＧＡ部（６０６）、ＭＣＵ（６０８）を含む。
【００３７】
１：６スイッチ部（６０２）は、ＲＦスイッチ部（４０４）から出力されるＧＰＳ基準信号及び高精密基準信号の入力を受ける。また、１：６スイッチ部（６０２）は、分配器を通して入力された基準信号が分配されて生成される複数の分配基準信号（分配器出力＃１〜＃４）の入力を受ける。１：６スイッチ部（６０２）は、入力されたＧＰＳ基準信号、高精密基準信号、複数の分配基準信号を順次または非順次にＡ／Ｄコンバータ（６０４）に伝達する。
【００３８】
このとき、１：６スイッチ部（６０２）から伝達されたＧＰＳ基準信号、高精密基準信号、複数の分配基準信号は、いずれもアナログ信号で構成されるが、Ａ／Ｄコンバータ（６０４）は、１：６スイッチ部（６０２）から伝達されたＧＰＳ基準信号、高精密基準信号、複数の分配基準信号をデジタル信号に変換する役割をする。本発明の一実施例において、Ａ／Ｄコンバータ（６０４）に入力されるアナログ信号は、１０ＭＨｚの正弦波（Ｓｉｎｅ  ｗａｖｅ）であって、２５ＭＨｚのサンプリングレート及び１６ビット（ｂｉｔ）の解像度を有し、周波数オフセットの範囲は、１００Ｈｚ〜１ＭＨｚに限定されることがある。
【００３９】
ＦＰＧＡ部（６０６）は、Ａ／Ｄコンバータ（６０４）から出力されたデジタル信号の信号品質値を測定する。このとき、ＦＰＧＡ部（６０６）が測定する信号品質値には、該当信号の入力パワー値、位相雑音レベル値、周波数オフセット（ｏｆｆｓｅｔ）値等が含まれ得る。ＭＣＵ（６０８）は、ＦＰＧＡ部（６０６）から伝達された信号品質値を制御部（４１２）に伝達する。
【００４０】
なお、本実施例においては、図６により第１位相雑音検出部（４０６）の構成だけが説明されたが、第２位相雑音検出部（４０８）及び第３位相雑音検出部（４１０）もまた第１位相雑音検出部（４０６）と類似した構成を有することができる。即ち、第２位相雑音検出部（４０８）及び第３位相雑音検出部（４１０）は、図６の１：６スイッチ部（６０２）の代わりにそれぞれ分配基準信号（分配器出力＃５〜＃８）及び分配基準信号（分配器出力＃９〜＃１２）の入力を受けるための１：４スイッチ部を含むことができ、残りの構成要素（Ａ／Ｄコンバータ、ＦＰＧＡ部、ＭＣＵ）は、第１位相雑音検出部（４０６）と同一である。
【００４１】
図７は、本発明の一実施例に係るＦＰＧＡ部（６０６）の構成図である。
【００４２】
図７を参照すると、本発明の一実施例に係るＦＰＧＡ部（６０６）は、周波数スイープ部（７０２）、デシメーション部（７０４）、フィルタリング部（７０６）、測定部（７０８）、インターフェース部（７１０）を含む。
【００４３】
周波数スイープ部（７０２）は、Ａ／Ｄコンバータ（６０４）から出力されたデジタル信号の入力を受け、このデジタル信号の周波数を予め定められた間隔でスイープ（ｓｗｅｅｐ）させる。本発明の一実施例において、周波数スイープ部（７０２）は、直接デジタル周波数合成器（Ｄｉｒｅｃｔ  Ｄｉｇｉｔａｌ  Ｓｙｎｔｈｅｓｉｚｅｒ、ＤＤＳ）及びデジタルダウンコンバータ（Ｄｉｇｉｔａｌ  Ｄｏｗｎ  Ｃｏｎｖｅｒｔｅｒ、ＤＤＣ）を含むことができる。ＤＤＳは、入力されたデジタル信号の周波数を予め定められた範囲の周波数に変換することでデジタル信号の周波数をスイープさせることができ、ＤＤＣは、ＤＤＳから出力された周波数がスイープされたデジタル信号を基底帯域（Ｂａｓｅｂａｎｄ）信号に変換する役割をする。
【００４４】
デシメーション部（７０４）は、周波数スイープ部（７０２）から出力されたデジタル信号を予め設定されたサンプリングレート（ｓａｍｐｌｉｎｇ  ｒａｔｅ）でデシメーション（Ｄｅｃｉｍａｔｉｏｎ）する。ここで、デシメーションとは、信号品質値の測定を容易にするためにデジタル信号のサンプリングレートを降下させることをいう。これによって、デジタル信号のサンプリングレートは、フィルタリング部（７０６）が該当デジタル信号をフィルタリングしやすい程度に低くなる。
【００４５】
本発明の一実施例において、デシメーション部（７０４）は、ＣＩＣフィルタ及びＦＩＲフィルタを含むことができる。ＣＩＣフィルタは、周波数スイープ部（７０２）から出力されたデジタル信号のデータレート（ｄａｔａ  ｒａｔｅ）を予め設定されたサンプリングレートに変換する役割をする。また、ＦＩＲフィルタは、ＣＩＣフィルタから出力されたデジタル信号のイメージ信号を除去する役割をする。
【００４６】
図８は、本発明の一実施例に係る周波数スイープ部（７０２）及びデシメーション部（７０４）の信号処理過程をより詳細に説明するための図である。
【００４７】
図８を参照すると、Ａ／Ｄコンバータ（６０４）から出力されたデジタル信号は周波数スイープ部（７０２）に入力されるが、このとき、入力されるデジタル信号は、中間周波数（Ｉｎｔｅｒｍｅｄｉａｔｅ  Ｆｒｅｑｕｅｎｃｙ）信号である。周波数スイープ部（７０２）は、図８のように、ＮＣＯ（Ｎｕｍｅｒｉｃａｌｌｙ  Ｃｏｎｔｒｏｌｌｅｄ  Ｏｓｃｉｌｌａｔｏｒ）により生成されたＣｏｓｉｎｅ信号（８０２）及びＳｉｎｅ信号（８０４）をデジタル信号にそれぞれ乗ずることで入力されたデジタル信号を基底帯域信号に変換する。このように変換されたデジタル信号は、デシメーション部（７０４）のＣＩＣフィルタを通してＣＩＣデシメーション過程（８０６、８０８）を経ることで、以前に比べてより低いデータレート（ｄａｔａ  ｒａｔｅ）を有するようになる（サンプリングレートの降下）。このように、ＣＩＣフィルタを通してサンプリングレートが低くなったデジタル信号は、それぞれＦＩＲフィルタを通してフィルタリング（８１０、８１２）され、イメージ信号が除去される。これによって、図８のように、最終的にサンプリングレートが低くなったＩチャネル信号及びＱチャネル信号がデシメーション部（７０４）から出力される。
【００４８】
再び図７を参照すると、フィルタリング部（７０６）は、デシメーション部（７０４）から出力されたデジタル信号から特定周波数帯域の信号をフィルタリングする。本発明の一実施例において、フィルタリング部（７０６）は、ＲＢＷ（Ｒｅｓｏｌｕｔｉｏｎ  Ｂａｎｄｗｉｄｔｈ）フィルタを含むことができる。フィルタリング部（７０６）は、様々な帯域を通過させるフィルタで具現され、微細間隔の値を測定するに容易である。本発明の一実施例において、フィルタリング部（７０６）は、１００Ｈｚ〜１ＫＨｚの信号を測定するための１０Ｈｚフィルタ、１ＫＨｚ〜１０ＫＨｚの信号を測定するための１００Ｈｚフィルタ、１０ＫＨｚ〜１００ＫＨｚの信号を測定するための１ＫＨｚフィルタ、１００ＫＨｚ〜１ＭＨｚの信号を測定するための１０ＫＨｚフィルタで構成され得る。
【００４９】
測定部（７０８）は、フィルタリング部（７０６）を通してフィルタリングされた特定の周波数帯域信号の信号品質値を測定する。本発明の一実施例において、測定部（７０８）が測定する信号の信号品質値は、入力パワー値、位相雑音レベル値、周波数オフセット（ｏｆｆｓｅｔ）を含むことができる。
【００５０】
このように、測定部（７０８）で測定された各信号（ＧＰＳ基準信号、高精密基準信号、複数の分配基準信号）の信号品質値は、インターフェース部（７１０）を通して制御部（４１２）に伝達される。制御部（４１２）は、伝達された信号品質値を通して各信号（ＧＰＳ基準信号、高精密基準信号、複数の分配基準信号）の信号品質を確認し、予め設定された基準条件との比較を通じて、基地局用基準信号供給装置（４０２）から出力される最終１０ＭＨｚ基準信号として、ＧＰＳ基準信号を出力するか、高精密基準信号を出力するかを命令する制御信号を生成することができる。
【００５１】
例えば、基地局用基準信号供給装置（４０２）は、基本モードとしてＧＰＳモジュールにより生成されたＧＰＳ基準信号を基地局用１０ＭＨｚ基準信号として出力することができる。ところが、基地局の運用中に第１位相雑音検出部（４０６）により測定されたＧＰＳ基準信号が予め設定された基準条件を満たさない場合、制御部（４１２）は、高精密基準信号の出力を命令する制御信号をＲＦスイッチ部（４０４）に伝達することで、基地局用基準信号供給装置（４０２）は、ＧＰＳ基準信号の代わりに高精密基準信号を基地局用１０ＭＨｚ基準信号として出力することができる。
【００５２】
また、他の実施例において、第１位相雑音検出部（４０６）、第２位相雑音検出部（４０８）、第３位相雑音検出部（４１０）の少なくとも一つにより測定される特定個数の分配基準信号の品質が劣化したものと示される場合にも、制御部（４１２）は、高精密基準信号の出力を命令する制御信号をＲＦスイッチ部（４０４）に伝達することができる。
【００５３】
このような制御部（４１２）の制御及びＲＦスイッチ部（４０４）のスイッチング動作によって、本発明に係る基地局用基準信号供給装置（４０２）は、装備や信号の劣化に速かに対応し、高い品質の基地局用基準信号を各装備に供給することのできる長所を有する。
【００５４】
また、制御部（４１２）により伝達される各信号（ＧＰＳ基準信号、高精密基準信号、複数の分配基準信号）の信号品質値が遠隔上位網（４１６）を通して遠隔制御部に伝達されるか、またはディスプレイ部（４１４）に表示されることで、網運用者は特定信号の劣化有無及び劣化位置、劣化原因を早期に把握し、それに対する迅速な対処が可能であるという長所もある。
【００５５】
前述した本発明は、本発明の属する技術の分野における通常の知識を有する者が、本発明の技術的思想を外れない範囲内で様々な置換、変形及び変更が可能であるので、前述した実施例及び添付された図面により限定されるものではない。
【図４】
0006000409.tif 000002
【図５】
0006000409.tif 000003
【図６】
0006000409.tif 000004
【図７】
0006000409.tif 000005
【図８】
0006000409.tif 000006
【図１】
0006000409.tif 000007
【図２】
0006000409.tif 000008
【図３】
0006000409.tif 000009